【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
反応射出成形技術によって反応混合物を反応させることを含んでなるポリウレタンエラストマーの製造方法であって、該反応混合物は、
（Ａ）ＮＣＯ基含有率約２０〜約４５重量％、官能価約２．０〜約２．７を有し、三量化（シクロ）脂肪族ポリイソシアネートを含んでなり、
ただし、（ｉ）該（シクロ）脂肪族ポリイソシアネートが三量化イソホロンジイソシアネートである場合には、成分（Ａ）は三量化ヘキサメチレンジイソシアネートを２０重量％未満含有し、（ｉｉ）該（シクロ）脂肪族ポリイソシアネートが三量化ヘキサメチレンジイソシアネートである場合には、成分（Ａ）はイソホロンジイソシアネートを１０重量％未満含有する、ポリイソシアネート成分と、
（Ｂ）（１）（Ｂ）１００重量％を基準として約７０〜約９０重量％の、官能価約２〜約８、分子量約２０００〜約８０００を有し、最大０．０１ｍｅｑ／ｇの不飽和を含有する１以上の低不飽和ポリエーテルポリオール、
（２）（Ｂ）１００重量％を基準として約１０〜約３０重量％の、分子量約６２〜約１５０を有し、ヒドロキシル官能価約２を有し、第１級、第２級および／または第３級アミン基を含有しない１以上の有機化合物、および
（３）（Ｂ）１００重量％を基準として０〜約５重量％の、分子量約２００〜約５００を有し、ヒドロキシル官能価３〜４を有し、アミン開始ポリエーテルポリオールを含んでなる１以上の有機化合物
を含んでなるイソシアネート反応性成分とを、
（Ｃ）式：
【化１】
2009520065.tif 000001
［式中、
ｍは、整数３〜８を表し、
ｎは、整数３〜８を表す］
に相当する１以上の触媒、および必要に応じて、
（Ｄ）１以上の紫外線安定剤、および必要に応じて、
（Ｅ）１以上の顔料
の存在下に含んでなり、（Ａ）および（Ｂ）の相対量は、イソシアネート指数が約１００〜約１２０の範囲であるような量である、方法。
【請求項２】
ポリイソシアネート成分は、
（１）ポリイソシアネート成分１００重量％を基準として少なくとも約６５重量％〜１００重量％未満の三量化（シクロ）脂肪族ポリイソシアネート、および
（２）ポリイソシアネート成分１００重量％を基準として０重量％より多く、約３５重量％以下の、（１）のＮＣＯ基と反応し得るヒドロキシル基約２〜約６個および分子量約６０〜約４０００を有するイソシアネート反応性成分
の反応生成物を含んでなるプレポリマーを含んでなり、該プレポリマーのＮＣＯ基含有率は約１０％〜約３５％である、請求項１に記載の方法。
【請求項３】
（シクロ）脂肪族ポリイソシアネートは、１−イソシアナト−３−イソシアナトメチル−３，５，５−トリメチルシクロヘキサン、ジシクロヘキシルメタン−４，４’−ジイソシアネートおよび１，６−ヘキサメチレンジイソシアネートからなる群から選択される、請求項１または２に記載の方法。
【請求項４】
（Ｂ）（１）は、官能価約２〜約３および分子量約４０００〜約６０００を有する、請求項１に記載の方法。
【請求項５】
（Ｂ）（１）は、０．００７ｍｅｑ／ｇ以下の不飽和を含有する、請求項４に記載の方法。
【請求項６】
（Ｂ）（２）は、分子量約６２〜約９２を有する、請求項１に記載の方法。
【請求項７】
（Ｂ）（２）は、エチレングリコールおよび１，４−ブタンジオールからなる群から選択される、請求項１に記載の方法。
【請求項８】
（Ｃ）は、１，８−ジアザビシクロ（５．４．０）ウンデス−７−エンを含んでなる、請求項１に記載の方法。
【請求項９】
（Ｃ）は、錫触媒をさらに含んでなる、請求項１に記載の方法。
【請求項１０】
（Ａ）ＮＣＯ基含有率約２０〜約４５重量％、官能価約２．０〜約２．７を有し、三量化（シクロ）脂肪族ポリイソシアネートを含んでなり、
ただし、（ｉ）該（シクロ）脂肪族ポリイソシアネートが三量化イソホロンジイソシアネートである場合には、成分（Ａ）は三量化ヘキサメチレンジイソシアネートを２０重量％未満含有し、（ｉｉ）該（シクロ）脂肪族ポリイソシアネートが三量化ヘキサメチレンジイソシアネートである場合には、成分（Ａ）はイソホロンジイソシアネートを１０重量％未満含有する、ポリイソシアネート成分を、
（Ｂ）（１）（Ｂ）１００重量％を基準として約７０〜約９０重量％の、官能価約２〜約８、分子量約２０００〜約８０００を有し、最大０．０１ｍｅｑ／ｇの不飽和を含有する１以上の低不飽和ポリエーテルポリオール、
（２）（Ｂ）１００重量％を基準として約１０〜約３０重量％の、分子量約６２〜約１５０を有し、ヒドロキシル官能価約２を有し、第１級、第２級および／または第３級アミン基を含有しない１以上の有機化合物、および
（３）（Ｂ）１００重量％を基準として０〜約５重量％の、分子量約２００〜約５００を有し、ヒドロキシル官能価３〜４を有し、アミン開始ポリエーテルポリオールを含んでなる１以上の有機化合物
を含んでなるイソシアネート反応性成分と、
（Ｃ）式：
【化２】
2009520065.tif 000002
［式中、
ｍは、整数３〜８を表し、
ｎは、整数３〜８を表す］
に相当する１以上の触媒、および必要に応じて、
（Ｄ）１以上の紫外線安定剤、および必要に応じて、
（Ｅ）１以上の顔料
の存在下に反応させた反応生成物を含んでなり、（Ａ）および（Ｂ）の相対量は、イソシアネート指数が約１００〜約１２０の範囲であるような量である、ポリウレタンエラストマー。
【請求項１１】
ポリイソシアネート成分は、
（１）ポリイソシアネート成分１００重量％を基準として少なくとも約６５重量％〜１００重量％未満の三量化（シクロ）脂肪族ポリイソシアネート、および
（２）ポリイソシアネート成分１００重量％を基準として０重量％より多く、約３５重量％以下の、（１）のＮＣＯ基と反応し得るヒドロキシル基約２〜約６個および分子量約６０〜約４０００を有するイソシアネート反応性成分
の反応生成物を含んでなるプレポリマーを含んでなり、該プレポリマーのＮＣＯ基含有率は約１０％〜約３５％である、請求項１０に記載のエラストマー。
【請求項１２】
（シクロ）脂肪族ポリイソシアネートは、１−イソシアナト−３−イソシアナトメチル−３，５，５−トリメチルシクロヘキサン、ジシクロヘキシルメタン−４，４’−ジイソシアネートおよび１，６−ヘキサメチレンジイソシアネートからなる群から選択される、請求項１０または１１に記載のエラストマー。
【請求項１３】
（Ｂ）（１）は、官能価約２〜約３および分子量約４０００〜約６０００を有する、請求項１０に記載のエラストマー。
【請求項１４】
（Ｂ）（１）は、０．００７ｍｅｑ／ｇ以下の不飽和を含有する、請求項１３に記載のエラストマー。
【請求項１５】
（Ｂ）（２）は、約６２〜約９２の分子量を有する、請求項１０に記載のエラストマー。
【請求項１６】
（Ｂ）（２）は、エチレングリコールおよび１，４−ブタンジオールからなる群から選択される、請求項１０に記載のエラストマー。
【請求項１７】
（Ｃ）は、１，８−ジアザビシクロ（５．４．０）ウンデス−７−エンを含んでなる、請求項１０に記載のエラストマー。
【請求項１８】
（Ｃ）は、錫触媒をさらに含んでなる、請求項１０に記載のエラストマー。
【手続補正２】
【補正対象書類名】明細書
【補正対象項目名】００６１
【補正方法】変更
【補正の内容】
【００６１】
本発明の成形物は、ＲＩＭ法によって密閉鋳型内で成分を反応させることによって製造する。本発明による組成物は、約１００〜１２０（好ましくは１０５〜１１０）の範囲のイソシアネート指数で従来の加工技術を用いて成形してもよい。用語「イソシアネート指数」（一般にＮＣＯ指数とも称される）とは、ここでは、イソシアネートの当量をイソシアネート反応性水素含有材料の全当量で割って得られた商を１００倍したものと定義する。